(57)【特許請求の範囲】
【請求項１】
縦方向及び横方向のそれぞれの側面に嵌合部を有するとともに、縦方向の一側面から他側面に貫通する空洞部を有する複数のブロックを備える建築物のブロック壁体と梁又は基礎の接合構造であって、複数のブロックにおける互いの空洞部が縦方向に一列に並ぶように位置を合わせるとともに、複数のブロックにおける互いの嵌合部を嵌合させてそれらブロックを縦横に隣接配置してブロック壁体本体を構成し、このブロック壁体本体における縦方向に一列に並んだ空洞部に、梁又は基礎に固着手段によって固着された定着プレートにボルト・ナットで締結して位置決めされる対のブラケットを介して両端が固定された線条体が挿入されてなり、該線条体を緊張させた状態でブロック壁体本体を固定することによりブロック壁体本体に圧縮力を加えるようにして縦方向に並んだ複数のブロックを一体化した状態で建物へ取り付けるようにしてなることを特徴とする建築物のブロック壁体と梁又は基礎の接合構造。
【請求項２】
ブロック壁体本体における縦方向に一列に並んだ空洞部に、グラウトが注入されてなることを特徴とする請求項１に記載の建築物のブロック壁体と梁又は基礎の接合構造。
【発明の詳細な説明】
【技術分野】
【０００１】
本発明は、相互に噛み合わせ可能なインターロッキングブロックを用いて構成される建築物のブロック壁体と梁又は基礎の接合構造に関し、特に、予応力を加えた建築物のブロック壁体と梁又は基礎の接合構造に関するものである。
【背景技術】
【０００２】
従来、壁や塀を構築するのに用いられてきた空洞をもったブロックや煉瓦などの形状は、縦方向（上下方向）の両面及び横方向（左右方向）の両面が平坦な直方体状のものが一般的であった。
そうした形状のブロックや煉瓦は、製造が容易で量産することができることから安価な建築材料として普及してきた。
【０００３】
直方体状のブロックや煉瓦を縦横に配置し連結してブロック壁体を製作する際には、目地と呼ばれる連結部にモルタルや漆喰などの目地材と呼ばれる接着材が用いられる。
【０００４】
しかし、モルタルや漆喰などの目地材の接着強度が弱い場合や、接着材の材料強度そのものが低い場合、ブロックの連結部分が力学的に弱点となる。
この力学的な弱点を補い、ブロック壁体として一体性を確保するために、ブロックの空洞部に棒鋼を挿入し棒鋼の周りにコンクリートやモルタルが充填されるが、ブロック壁体に外力が作用した際に生じる剪断応力や曲げ応力に対して、ブロックの空洞部内に充填されたコンクリート等や空洞部内に挿入された棒鋼が主となって抵抗し、高強度のブロックや煉瓦を用いてもブロック壁体の強度を高めることは不可能である。
さらに、ブロックの空洞部内に充填されるコンクリートやモルタルの強度が弱い場合や充填不良が起きた場合は、ブロック壁体の力学的性能（耐力）が低く、棒鋼が何らかの要因により錆びた場合、さらに耐力が低下する。
【０００５】
上記のような問題を解決し得る技術として、擁壁の技術分野においては、例えば、特許文献１に記載のものがある。
【先行技術文献】
【特許文献】
【０００６】
【特許文献１】特表２００５−５１９２０７号公報
【０００７】
特許文献１には、縦方向に突出する嵌合用の凸部としてのインターロックと、このインターロックの横方向両側に形成される凹部と、横方向の一面から他面に貫通するダクトとを有する複数の擁壁ブロックを、互いのダクトが横方向に一列に並ぶように位置を合わせるとともに、互いのインターロックと凹部とを嵌合させて縦横に隣接配置し、複数の擁壁ブロックを相互連結するために、横方向に一列に並んだダクトにケーブル又はロープを挿通し結び付けて擁壁マットを構成するようにした技術が開示されている。
【０００８】
しかしながら、特許文献１に記載のものでは、擁壁ブロックにおける横方向の両面が平坦面とされ、横方向に隣接する擁壁ブロックは単に突き合わされているだけであるため、たとえ複数の擁壁ブロックがケーブル又はロープによって相互連結されていたとしても、擁壁マットに対して縦方向に剪断力が作用した場合、擁壁ブロックが縦方向にずれ易いという問題点がある。
また、擁壁マットに対して曲げ荷重が作用すると、圧縮力が作用する部分と引張力が作用する部分とが生じるが、横方向に一列に並んだダクトにケーブル又はロープを単に挿通して結び付けただけで複数の擁壁ブロックを相互連結するようにした構成では、連結力が不十分であるため、引張力が作用する部分において、隣接する擁壁ブロック間におけるインターロックと凹部との嵌合が外れて力学的性能が損なわれるという問題点がある。
そして、特許文献１に記載のものは、擁壁には好適なものであるが、これをそのまま建築物のブロック壁体に適用できるものではなかった。
【発明の概要】
【発明が解決しようとする課題】
【０００９】
本発明は、上記従来の技術の有する問題点に鑑み、外力作用時のブロックの縦方向及び横方向のずれをなくことができるとともに、ブロック相互間の連結力を高めて耐力の向上を図ることができる建築物のブロック壁体と梁又は基礎の接合構造を提供することを目的とする。
【課題を解決するための手段】
【００１０】
上記目的を達成するため、本発明の建築物のブロック壁体と梁又は基礎の接合構造は、縦方向及び横方向のそれぞれの側面に嵌合部を有するとともに、縦方向の一側面から他側面に貫通する空洞部を有する複数のブロックを備える建築物のブロック壁体と梁又は基礎の接合構造であって、複数のブロックにおける互いの空洞部が縦方向に一列に並ぶように位置を合わせるとともに、複数のブロックにおける互いの嵌合部を嵌合させてそれらブロックを縦横に隣接配置してブロック壁体本体を構成し、このブロック壁体本体における縦方向に一列に並んだ空洞部に、梁又は基礎に固着手段によって固着された定着プレートにボルト・ナットで締結して位置決めされる対のブラケットを介して両端が固定された線条体が挿入されてなり、該線条体を緊張させた状態でブロック壁体本体を固定することによりブロック壁体本体に圧縮力を加えるようにして縦方向に並んだ複数のブロックを一体化した状態で建物へ取り付けるようにしてなることを特徴とする。
【００１１】
また、ブロック壁体本体における縦方向に一列に並んだ空洞部にグラウトが注入されてなるようにすることができる。
【発明の効果】
【００１２】
本発明の建築物のブロック壁体と梁又は基礎の接合構造によれば、縦方向及び横方向のそれぞれの側面に嵌合部を有する複数のブロックを、互いの嵌合部を嵌合させて縦横に隣接配置してブロック壁体本体が構成されるので、ブロック壁体本体に対して縦方向に剪断力が作用した場合、ブロック相互間における横方向の嵌合部でその縦方向剪断力を受け止めることができ、ブロック壁体本体に対して横方向に剪断力が作用した場合、ブロック相互間における縦方向の嵌合部でその横方向剪断力を受け止めることができ、外力作用時のブロックの縦方向及び横方向のずれをなくことができる。
【００１３】
そして、ブロック壁体本体における縦方向に一列に並んだ空洞部に線条体を挿入することにより、さらに、線条体を緊張させた状態でブロック壁体本体に固定することによってブロック壁体本体に圧縮力が加えることにより、ブロック相互間の連結力を高めて耐力の向上を図ることができ、ブロック壁体本体に対して曲げ荷重が作用するに伴い引張力が作用する部分において、隣接するブロック間における嵌合を外すように作用する力に対して対抗することができ、力学的性能を安定的に保つことができる。
【００１４】
また、ブロック壁体本体における縦方向に一列に並んだ空洞部にグラウトが注入されてなるようにすることにより、グラウトの硬化によってブロック相互間が力学的により一体化され、特に縦方向の強度をより高めることができる。
【図面の簡単な説明】
【００１５】
【図１】参考例に係る建築物のブロック壁体と梁又は基礎の接合構造を示す正面図である。
【図２】同ブロック壁体を構成するインターロッキングブロックを示す図で、（ａ）はブロック壁体本体の主要部を構成するブロック正面図で、（ｂ）はブロック壁体本体の上下端部を構成するブロック正面図である。
【図３】同ブロック壁体を構成するインターロッキングブロックを示す図で、（ａ）はブロック壁体本体の主要部の欠けを補填するブロック正面図で、（ｂ）はブロック壁体本体の下端部の欠けを補填するブロック正面図である。
【図４】（ａ）は図１のＡ部拡大図で、（ｂ）は図１のＢ部拡大図である。
【図５】本発明の実施形態に係る建築物のブロック壁体と梁又は基礎の接合構造を示す正面図である。
【図６】（ａ）は図５のＣ部拡大図で、（ｂ）は（ａ）のＥ−Ｅ線断面図である。
【図７】（ａ）は図５のＤ部拡大図で、（ｂ）は（ａ）のＦ−Ｆ線断面図である。
【図８】参考例に係る建築物のブロック壁体の取付構造と梁又は基礎の接合構造の別態様例を示す図で、（ａ）は図１のＡ部に相当する部分の拡大図で、（ｂ）は（ａ）のＧ−Ｇ線断面図である。
【発明を実施するための形態】
【００１６】
次に、本発明の建築物のブロック壁体と梁又は基礎の接合構造の実施の形態を、図面に基づいて説明する。
【００１７】
〔参考例〕
図１には、参考例に係る建築物のブロック壁体と梁又は基礎の接合構造を示す正面図が示され、図２及び図３には、同ブロック壁体を構成する各種インターロッキングブロックの正面図が示されている。
【００１８】
＜ブロック壁体の概略説明＞
図１に示されるブロック壁体１Ａは、例えば、垂直ＲＣ（鉄筋コンクリート）造やＳＲＣ（鉄骨鉄筋コンクリート）造、ＲＭ（鉄筋コンクリート組積）造、鉄骨造、木造などの建物における梁２、基礎３（又は梁（以下、同様。））及び柱４で囲まれる空間を塞ぐ耐振補強材を兼ねる壁体として用いられ、縦方向（上下方向）及び横方向（左右方向）に広がりをもつ外観視四角形状で当該ブロック壁体１Ａの本体部分を構成するブロック壁体本体１ａを備えている。
【００１９】
＜ブロック壁体本体の説明＞
ブロック壁体本体１ａの主要部は、千鳥状に配置されるコンクリート製又は焼成粘土製の複数のインターロッキングブロック（以下、単に「ブロック」という。）５を組み合わせて構成されている。
図２（ａ）に示されるように、ブロック５は、上下方向の長さに比べて左右方向の長さが長い直方体形状で、上下方向及び左右方向のそれぞれの両側面に波状又は鋸刃状を呈する所要の凹凸部よりなる嵌合部５ａ〜５ｄが形成されている。
また、ブロック５における左半部分及び右半部分のそれぞれの平面視中央部には、上側面から下側面に貫通する丸孔状の空洞部６が形成されている。
【００２０】
図１に示されるように、ブロック壁体本体１ａの主要部においては、左右方向に並ぶブロック５の相互間で互いの嵌合部５ｃ，５ｄ（図２（ａ）参照）が嵌合されて噛み合うようにされるとともに、１個のブロック５と次段の２個のブロック５との間において、１個のブロック５の嵌合部５ｂ（図２（ａ）参照）に、次段の２個のブロック５のうちの左側のブロック５の右半部分の嵌合部５ａ（図２（ａ）参照）及び右側のブロック５の左半部分の嵌合部５ａ（図２（ａ）参照）が対応して、これらブロック相互間で互いの嵌合部５ａ，５ｂが嵌合されて噛み合い、さらにこれら２個のブロック５が次段の３個のブロック５と同様にして噛み合い、結果全てのブロック５が噛み合うようにされている。
【００２１】
ブロック壁体本体１ａの主要部においては、複数のブロック５が千鳥状に配置されることから、所要個数（本例では６個）のブロック５が左右方向に並んでなる第１の横並びブロック群３１と、この第１の横並びブロック群３１よりもブロック５の個数が１個少ない第２の横並びブロック群３２とが交互に繰り返し所定段数積層される構成となる。
このため、ブロック壁体本体１ａの主要部において、第２の横並びブロック群３２の左右両側にそれぞれブロック５の半個分に相当する欠けが生じることになる。
かかる欠けを埋めるために、第２の横並びブロック群３２の左右両側にそれぞれブロック５の半個分の形状寸法に形成された立方体形状のブロック１０が配設されている。
【００２２】
図３（ａ）に示されるように、ブロック１０には、上下方向及び左右方向に隣接するブロック５と嵌合して噛み合うことができるように、波状又は鋸刃状を呈する所要の凹凸部よりなる嵌合部１０ａ〜１０ｄが上下方向及び左右方向のそれぞれの両側面に形成されている。
また、ブロック１０の平面視中央部には、上側面から下側面に貫通する丸孔状の空洞部１１が形成されている。
【００２３】
図１に示されるように、ブロック壁体本体１ａの上端部分は、前述したブロック５と若干形状が異なる複数のブロック１５が左右方向に並べられて構成されている。
なお、ブロック１５において、前述したブロック５と同一又は同様の構成要素のものには図に同一符号を付すに留めて重複説明を避け、以下においては、ブロック１５に特有の部分を中心に説明することとする。
【００２４】
図２（ｂ）に示されるように、ブロック１５においては、前述したブロック５の上側面に形成されている嵌合部５ａに相当するものがなく、その上部に、空洞部６に対応する位置で前後方向及び上方に開放された切欠き凹部１６が形成され、該切欠き凹部１６が設けられる部位を除いた上面部分が平坦面１７とされている。
【００２５】
図１に示されるように、ブロック壁体本体１ａの下端部分は、前述したブロック１０と若干形状が異なる２つのブロック２０を左右方向の両端位置に配設するとともに、これらのブロック２０の間に、前述したブロック１５を上下方向及び左右方向にそれぞれ反転させたものを複数個（本例では５個）配設して構成されている。
なお、ブロック２０において、前述したブロック１０と同一又は同様の構成要素のものは図に同一符号を付すに留めて重複説明を避け、以下においては、ブロック２０に特有の部分を中心に説明することとする。
【００２６】
図３（ｂ）に示されるように、ブロック２０においては、前述したブロック１０の下側面に形成された嵌合部１０ｂに相当するものがなく、その下部に、空洞部１１に対応する位置で前後方向及び下方に開放された切欠き凹部２１が形成され、該切欠き凹部２１が設けられる部位を除いた下面部分が平坦面２２とされている。
【００２７】
図１に示されるように、ブロック壁体本体１ａにおいては、上下方向に一列に並んだ空洞部６，１１によって形成される線条体挿通路３５が左右方向に所定ピッチで配設され、所定ピッチで配設される複数の線条体挿通路３５のうち、適宜間隔位置にある所要の線条体挿通路３５に線条体４０Ａが挿入されている。
【００２８】
＜線条体の説明＞
線条体４０Ａは、鋼線や棒鋼、グラスファイバー棒などの引張強度が高い線材等を用いて構成されるもので、より具体的には、全長に亘って外周にネジが刻まれた、例えば、ＰＣ鋼棒又は高張力ネジフシ棒鋼よりなる２本の線材４１，４２を継手４３によって繋ぎ合わせて構成されている。
図４（ａ）に示されるように、線条体４０Ａは、線条体挿通路３５に挿入された状態において、線材４１の上端部がブロック１５の切欠き凹部１６内から上方に所定長さ突出するとともに、図４（ｂ）に示されるように、線材４２の下端部がブロック２０の切欠き凹部２１の奥面から所定長さ突出して該切欠き凹部２１内に納まるようにその全長寸法が定められている。
【００２９】
＜ブロック壁体の製造方法の説明＞
以上に述べたブロック壁体１Ａは、建設現場あるいは製造工場において、以下のようにして製造される。
まず、図１に示されるように、複数のブロック５，１０，１５，２０における互いの空洞部６，１１が上下方向に一列に並ぶように位置を合わせるとともに、複数のブロック５，１０，１５，２０における互いの嵌合部５ａ〜５ｄ，１０ａ〜１０ｄを適宜に嵌合させてそれらブロック５，１０，１５，２０を上下左右に隣接するように千鳥状に配置してブロック壁体本体１ａを構築する。
ここで、複数のブロック５，１０，１５，２０を相互に嵌合させてブロック壁体本体１ａを構築する際に、ブロック壁体本体１ａの気密性や遮音性、耐火性を高めるために、ブロック相互間の目地材としてモルタルや漆喰などの無機系の材料や不燃性の有機系の接着剤を用いてもよい。
【００３０】
次いで、ブロック壁体本体１ａにおける所定ピッチで配設される複数の線条体挿通路３５のうち、適宜間隔位置にある所要の線条体挿通路３５に線条体４０Ａを挿入する。
その後、図４（ａ）に示されるように、ブロック１５における切欠き凹部１６の奥面との間にワッシャ４４を介在させた状態で線材４１にナット４５を螺合するとともに、図４（ｂ）に示されるように、ブロック２０の切欠き凹部２１の奥面との間にワッシャ４６を介在させた状態で線材４２にナット４７を螺合し、それらナット４５，４７を締め込むことにより、線条体４０Ａを緊張させる。
そして、所定の締付トルクによるナット４５，４７の締め付け完了により、線条体４０Ａを緊張させた状態でブロック壁体本体１ａに固定することができる。
【００３１】
次いで、線条体４０Ａを挿入した線条体挿通路３５に、無機あるいは有機の材料からなる硬化性の充填材であるグラウト（図示省略）を注入・充填し硬化させる。
ここで、グラウトの線条体挿通路３５への注入は、ブロック５，１０，１５，２０の側面に予め設けた空洞部６，１１に通じる貫通口（図示省略）を介して圧入してもよいし、空洞部６，１１に直接流しこんでもよい。
こうして、グラウトの注入によってブロック壁体本体１ａが力学的により一体化され、特に上下方向の強度を高めることができる。
なお、線条体４０Ａが挿入されていない線条体挿通路３５にグラウトを注入・充填してもよく、これによって上下方向の強度をさらに高めることができる。
【００３２】
上記のようにして作製されるブロック壁体１Ａの建物への取り付けについて図１及び図４を用いて以下に説明する。
【００３３】
図１に示されるように、梁２の下面には定着プレート５１が、基礎３の上面には定着プレート５２が、それぞれ接着剤やプレート止めアンカー５３等の公知の固着手段によって固着されている。
図４（ａ）に示されるように、線条体４０Ａにおける線材４１の上端部にナット４８を、図４（ｂ）に示されるように、線材４２の下端部にナット４９を、それぞれ螺合しておき、このような状態のブロック壁体１Ａを、梁２、基礎３及び柱４よりなる取付枠の内側に配して位置決め後、ナット４８，４９を緩める方向に操作してナット４８，４９を定着プレート５１，５２に押し当てるようにする。
そして、ナット４８，４９と定着プレート５１，５２とを溶接することにより、ブロック壁体１Ａの建物への取り付けが完了する。
なお、ブロック壁体１Ａの梁２、基礎３及び柱４と、ブロック壁体１Ａの四周との隙間（ブロック１５，２０の切欠き凹部１６，２１を含む。）には、仕上げ施工において、モルタル等を充填するようにする。
【００３４】
＜作用効果の説明＞
本参考例のブロック壁体１Ａによれば、上下方向及び左右方向のそれぞれの側面に嵌合部５ａ〜５ｄ，１０ａ〜１０ｄを有する複数のブロック５，１０，１５，２０を、互いの嵌合部５ａ〜５ｄ，１０ａ〜１０ｄを嵌合させて上下左右に隣接配置してブロック壁体本体１ａが構成されるので、ブロック壁体本体１ａに対して上下方向に剪断力が作用した場合、ブロック相互間における左右方向の嵌合部５ｃ，５ｄ；１０ｃ，１０ｄでその縦方向剪断力を受け止めることができ、ブロック壁体本体１ａに対して左右方向に剪断力が作用した場合、ブロック相互間における上下方向の嵌合部５ａ，５ｂ；１０ａ，１０ｂでその横方向剪断力を受け止めることができ、外力作用時のブロック５の上下方向及び左右方向のずれをなくことができる。
また、ブロック壁体本体１ａにおける線条体挿通路３５に挿入される線条体４０Ａを緊張させた状態でブロック壁体本体１ａに固定することによってブロック壁体本体１ａに圧縮力が加えられるので、ブロック相互間の連結力を高めて耐力の向上を図ることができ、ブロック壁体本体１ａに対して曲げ荷重が作用するに伴い引張力が作用する部分において、隣接するブロック間の嵌合を外すように作用する力に対して対抗することができ、力学的性能を安定的に保つことができる。
【００３５】
〔実施形態〕
図５には、本発明の実施形態に係る建築物のブロック壁体と梁又は基礎の接合構造を示す正面図が示されている。
図６には、図５のＣ部拡大図（ａ）及び（ａ）のＥ−Ｅ線断面図（ｂ）がそれぞれ示されている。
図７には、図５のＤ部拡大図（ａ）及び（ａ）のＦ−Ｆ線断面図（ｂ）がそれぞれ示されている。
なお、本実施形態のブロック壁体１Ｂにおいて、参考例のブロック壁体１Ａと同一又は同様のものについては図に同一符号を付すに留めてその詳細な説明を省略することとし、以下においては、本実施形態のブロック壁体１Ｂに特有の部分を中心に説明することとする。
【００３６】
図５に示されるように、本実施形態のブロック壁体１Ｂにおいては、参考例のブロック壁体１Ａにおいて用いられた線条体４０Ａに代えて、線条体４０Ｂが用いられる。
線条体４０Ｂは、全長に亘って外周にネジが刻まれたＰＣ鋼棒又は高張力ネジフシ棒鋼よりなる２本の線材４１，４２を継手４３によって繋ぎ合わせるとともに、線材４１の上端部に継手５４が接続されるとともに、線材４２の下端部に継手５５が接続されて構成されている。
【００３７】
ブロック壁体本体１ａの上端側には、ブラケット５６が配設されている。
図６（ａ）及び（ｂ）に示されるように、ブラケット５６は、ブロック壁体本体１ａの左右方向の全幅に亘ってブロック壁体本体１ａの上端面に当接可能で要所にボルト挿通孔を有する水平板部５６ａと、この水平板部５６ａにおけるブロック壁体本体１ａの正面側から背面側に向かう方向の奥側端縁から一体的に立設される要所にボルト挿通孔を有する鉛直板部５６ｂとにより構成されている。
【００３８】
また、定着プレート５１の下面には、要所に、ブラケット５７が固着されている。
ブラケット５７は、定着プレート５１の下面に溶接される水平板部５７ａと、この水平板部５７ａにおけるブロック壁体本体１ａの正面側から背面側に向かう方向の奥側端縁から一体的に垂設され、ブラケット５６の鉛直板部５６ｂに背面側から重ね合わせ可能な要所にボルト挿通孔を有する鉛直板部５７ｂとにより構成されている。
【００３９】
図７（ａ）及び（ｂ）に示されるように、ブロック２０の切欠き凹部２１内には、ブラケット５８が配設されている。
図７（ｂ）に示されるように、ブラケット５８は、切欠き凹部２１の奥面に当接可能なボルト挿通孔を有する水平板部５８ａと、この水平板部５８ａにおけるブロック壁体本体１ａの正面側から背面側に向かう方向の奥側端縁から一体的に垂設され、ボルト挿通孔を有する鉛直板部５８ｂとにより構成されている。
【００４０】
図７（ａ）及び（ｂ）に示されるように、定着プレート５２には、ブラケット５９が固着されている。
図７（ｂ）に示されるように、ブラケット５９は、定着プレート５２の上面に溶接される水平板部５９ａと、この水平板部５９ａにおけるブロック壁体本体１ａの正面側から背面側に向かう方向の奥側端縁から一体的に立設され、ブラケット５８の鉛直板部５８ｂに背面側から重ね合わせ可能でボルト挿通孔を有する鉛直板部５９ｂとにより構成されている。
【００４１】
図６（ａ）及び（ｂ）に示されるように、ブロック壁体１Ｂにおいては、ブラケット５６の水平板部５６ａとの間にワッシャ６０を介在させた状態で水平板部５６ａを貫通して継手５４にボルト６１を螺合するとともに、図７（ａ）及び（ｂ）に示されるように、ブラケット５８の水平板部５８ａとの間にワッシャ６２を介在させた状態で水平板部５８ａを貫通して継手５５にボルト６３を螺合し、それらボルト６１，６３を締め込むことにより、線条体４０Ｂを緊張させる。
そして、所定の締付トルクによるボルト６１，６３の締め付け完了により、線条体４０Ｂを緊張させた状態でブロック壁体本体１ａに固定することができる。
【００４２】
上記のようにして作製されるブロック壁体１Ｂの建物への取り付けは、以下の通りである。
図５に示されるように、ブロック壁体１Ｂを、梁２、基礎３及び柱４よりなる取付枠の内側に配し、図６（ｂ）及び図７（ｂ）に示されるように、ブラケット５６，５７；５８，５９の鉛直板部同士５６ｂ，５７ｂ；５８ｂ，５９ｂを重ね合わせるようにして位置決め後、それら鉛直板部同士５６ｂ，５７ｂ；５８ｂ，５９ｂを貫通するボルト６４；６５にナット６６；６７を螺合して締め付けることにより、ブロック壁体１Ｂの建物への取り付けが完了する。
【００４３】
以上に述べたブロック壁体１Ｂのその他の構成は、ブロック壁体１Ａと同様であり、ブロック壁体１Ｂによっても、ブロック壁体１Ａと同様の作用効果を得ることができる。
【００４４】
以上、本発明の建築物のブロック壁体と梁又は基礎の接合構造について、その実施形態に基づいて説明したが、本発明は上記実施形態に記載した構成に限定されるものではなく、その趣旨を逸脱しない範囲において適宜その構成を変更することができるものである。
【００４５】
例えば、上記実施形態においては、複数のブロック５，１０，１５，２０を上下方向に積み重ねてブロック壁体本体１ａを構築するようにした例を示したが、ブロック壁体本体１ａを構築するその他の方法として、複数のブロック５，１０，１５，２０を水平面上に並べるというものがあり、具体的には、複数のブロック５，１０，１５，２０における互いの空洞部６，１１が水平面上の縦方向に一列に並ぶように位置を合わせるとともに、複数のブロック５，１０，１５，２０における互いの嵌合部５ａ〜５ｄ，１０ａ〜１０ｄを適宜に嵌合させてそれらブロック５，１０，１５，２０を水平面上の縦横に隣接するように千鳥状に配置してブロック壁体本体１ａを構築するようにしてもよい。
【００４６】
また、ブロック壁体１Ａの建物への取付構造として、図４（ａ）に示されるものに代えて、図８（ａ）に示されるようなものを採用してもよい（参考例）。
なお、図８（ａ）に示される取付構造において、図４（ａ）で述べた取付構造と同一又は同様のものについては、図に同一符号を付すに留めてその詳細な説明を省略することとし、以下においては、図８（ａ）に示される取付構造に特有の部分を中心に説明することとする。
【００４７】
図８（ａ）に示される取付構造においては、ブロック壁体１Ａにおける線条体４０Ａを挿入した位置にある切欠き凹部１６に対応するようにブラケット７０が配設されている。
ブラケット７０は、定着プレート５１の下面に溶接される上側水平プレート部７０ａと、上側水平プレート部７０ａに対して所定間隔を有して切欠き凹部１６内に配される下側水平プレート部７０ｂと、これら水平プレート部７０ａ，７０ｂの一端部同士を一体的に接続する鉛直プレート部７０ｃとを備え構成されている。
図８（ｂ）に示されるように、下側水平プレート部７０ｂには、当該下側水平プレート部７０ｂの他端側に開放され、線条体４０Ａの線材４１をその開放側から入り込ませることが可能なＵの字状の切欠き部７１が形成されている。
ブラケット７０においては、線材４１の上端部に螺合されたナット７２が下側水平プレート部７０ｂの上面に当接可能となるように線条体４０Ａの線材４１を切欠き部７１に入り込ませるとともに、切欠き部７１の開放側が切欠き凹部１６の内側面にて実質的に塞がれるように切欠き部７１の開放側を、例えば、右側に向けた状態で下側水平プレート部７０ｂを切欠き凹部１６内に位置させた状態で、定着プレート５１の下面に溶接されている。
【００４８】
図８に示される取付構造によれば、ナット７２を締め込んだり緩めたりする操作により、ブロック壁体１Ａの高さを微調整することができる。
また、切欠き部７１の開放側が切欠き凹部１６の内側面にて実質的に塞がれているので、線材４１の切欠き部７１内への入り込み状態が確実に保たれ、梁２、基礎３及び柱４よりなる取付枠からブロック壁体１Ａが外れるようなことがない。
【産業上の利用可能性】
【００４９】
本発明の建築物のブロック壁体と梁又は基礎の接合構造は、外力作用時のブロックの縦方向及び横方向のずれをなくことができるとともに、ブロック相互間の連結力を高めて耐力の向上を図ることができるという特性を有していることから、垂直ＲＣ造やＳＲＣ造、ＲＭ造、鉄骨造、木造などの建物における壁体としての用途に好適に用いることができるほか、例えば、擁壁、土留め壁、塀、門、舗装などの用途にも用いることができる。
【符号の説明】
【００５０】
１Ａ，１Ｂ  ブロック壁体
１ａ  ブロック壁体本体
５，１５  インターロッキングブロック
５ａ〜５ｄ  嵌合部
６，１１  空洞部
１０，２０  インターロッキングブロック
１０ａ〜１０ｄ  嵌合部
４０Ａ，４０Ｂ  線条体
【図１】
0006461498.tif 000002
【図２】
0006461498.tif 000003
【図３】
0006461498.tif 000004
【図４】
0006461498.tif 000005
【図５】
0006461498.tif 000006
【図６】
0006461498.tif 000007
【図７】
0006461498.tif 000008
【図８】
0006461498.tif 000009